(57)【要約】      （修正有）【課題】和服に仕立てた際に模様の連続性を確保できる反物を提供する。【解決手段】長尺の布地からなる反物に、和服の各構成部位を画定する裁断線、縫製線および所定の大きさの繰り返し模様（図柄）を捺染することにより、裁断線に従い裁断した各構成部位２〜１１を、縫製線に沿って縫い合わせ仕立てた和服において、少なくとも２つの互いに隣り合う構成部位が、その縫製線にて模様の連続性を確保することができるようにする。２つの隣り合う構成部位が、左前身頃１１と左衽７であるか、又は掛け衿６と左前身頃１１であるか、又は掛け衿６と左衽７であることが好ましい。【選択図】図３
0003194974.tif 000002
【実用新案登録請求の範囲】
【請求項１】
所定の幅を有する長尺の布地からなる反物であって、
前記反物は、所定の大きさを有する繰り返し模様と、
和服の各構成部位である右袖、右身頃、本衿、掛け衿、左衽、右衽、左袖、左身頃を画定する裁断線とを備え、
前記右身頃は、右前身頃と右後見頃とから構成され、
前記左身頃は、左前身頃と左後見頃とから構成され、
前記和服において隣り合う少なくとも２つの前記構成部位の間で前記模様が連続することを特徴とする反物。
【請求項２】
前記２つの前記構成部位が、前記左前身頃および前記左衽であることを特徴とする請求項１記載の反物。
【請求項３】
前記２つの前記構成部位が、前記掛け衿と前記左前身頃であることを特徴とする請求項１記載の反物。
【請求項４】
前記２つの前記構成部位が、前記掛け衿と前記左衽であることを特徴とする請求項１記載の反物。
【請求項５】
前記左前身頃と前記左後身頃において、前記模様が上下反転していることを特徴とする請求項１記載の反物。
【請求項６】
前記反物において、前記各構成部位を互いに縫い合わせることにより前記和服を成形する縫製線を備えたことを特徴とする請求項１乃至５のいずれか１項に記載の反物。
【請求項７】
前記２つの前記構成部位は、前記縫製線において、前記模様が連続することを特徴とする請求項６記載の反物。
【請求項８】
前記和服が、小紋であることを特徴とする請求項１乃至７のいずれか１項に記載の反物。
【請求項９】
前記模様は、インクジェット方式により捺染されていることを特徴とする請求項１乃至８のいずれか１項に記載の反物。
【考案の詳細な説明】
【技術分野】
【０００１】
本考案は、和服に仕立てられる、繰り返し模様が付された反物に関する。
【背景技術】
【０００２】
日本の伝統的な長着等の和服には、訪問着、付け下げ、小紋等の種類がある。これらの和服は、通常、着用目的、時期、年齢、場所などで使い分けされている。なかでも小紋は、模様によっては、訪問、パーティー、お茶会など幅広い場面で着用でき、使い勝手が良いという利点がある。
小紋は、上下方向関係なく全体的に小さい模様（図柄）が配されていることからその名の由来があるが、現在は模様の大小、密度に関わりなく、上下方向関係なく模様が入っている和服は小紋と称している。
【０００３】
一般に和服は、長尺の布地からなる１つの反物から各構成部位の布を裁断し、縫製することにより仕立てられる。そのため、例えば上前部では、左前身頃（まえみごろ）と左衽（おくみ）とが縫製部において、互いに縫い合わされることとなるが、両者は反物の異なる箇所から裁断されるため、通常模様が連続することはない。
【０００４】
特に模様（図柄）が大きい場合、このような部分において模様が合わないと外観上の違和感が大きく、和服の高級感が損なわれるという問題がある。
【０００５】
このような模様の連続性を確保（図柄合わせ）するという課題の対策として、２枚１対の反物を用いる手法が特開平９−１９５１８３に開示されている。
【先行技術文献】
【特許文献】
【０００６】
【特許文献１】特開平９−１９５１８３号公報
【考案の概要】
【考案が解決しようとする課題】
【０００７】
しかしながら、特許文献１記載の手法では、反物を２枚準備する必要があるためにコストが増大するという問題があり、また採用できる模様に対して制約があり自由なデザインを採用できないという問題もある。
【０００８】
本考案は、上記課題に対処するためなされたものであり、様々な模様に対して、１つの反物から最終製品である和服を作成する（仕立てる）際に、模様の連続性を確保しつつ、裁断、縫製を容易にする反物を提供することを目的とし、それにより、熟練を要することなく模様が一致することができ、低コストで小紋等の和服を提供すことができる。
【０００９】
なお、本明細書において「模様が一致する」とは、反物から裁断された布が異なった部位の布と幅方向に並ぶ場合において、模様が連続し、外観上連続的な模様に見えることをいうものとする。
【課題を解決するための手段】
【００１０】
上記目的を達成するため、請求項１記載の考案は、
所定の幅を有する長尺の布地からなる反物であって、
前記反物は、所定の大きさを有する繰り返し模様と、
和服の各構成部位である右袖、右身頃、本衿（えり）、掛け衿、左衽、右衽、左袖、左身頃を画定する裁断線とを備え、
前記右身頃は、右前身頃と右後見頃とから構成され、
前記左身頃は、左前身頃と左後見頃とから構成され、
前記和服において隣り合う少なくとも２つの前記構成部位の間で前記模様が連続することを特徴とする。
【００１１】
請求項２記載の考案は、
前記２つの構成部位が、前記左前身頃および前記左衽であることを特徴とする請求項１記載の反物である。
【００１２】
請求項３記載の考案は、
前記２つの構成部位が、前記掛け衿と前記左前身頃であることを特徴とする請求項１記載の反物である。
【００１３】
請求項４記載の考案は、
前記２つの構成部位が、前記掛け衿と前記左衽であることを特徴とする請求項１記載の反物である。
【００１４】
請求項５記載の考案は、
前記左前身頃と前記左後身頃において、前記模様が上下反転していることを特徴とする請求項１記載の反物である。
【００１５】
請求項６記載の考案は、
前記反物において、前記各構成部位を互いに縫い合わせることにより前記和服を成形し得る縫製線を備えたことを特徴とする請求項１乃至５のいずれか１項に記載の反物である。
【００１６】
請求項７記載の考案は、
前記２つの前記構成部位は、前記縫製線において、前記模様が連続することを特徴とする請求項６記載の反物である。
【００１７】
請求項８記載の考案は、
前記和服が、小紋であることを特徴とする請求項１乃至７のいずれか１項に記載の反物である。
【００１８】
請求項９記載の考案は、
前記模様は、インクジェット方式により捺染されていることを特徴とする請求項１乃至８のいずれか１項に記載の反物である。
【考案の効果】
【００１９】
本考案によれば、縫製線に従い和服に仕立てた場合に、和服の外観の少なくとも一部において模様の連続性を確保することができる。
【図面の簡単な説明】
【００２０】
【図１】本考案の実施形態にかかる反物に裁断線、縫製線に記載した詳細平面図
【図２】本考案の実施形態にかかる反物における各部位の配置図
【図３】本考案の実施形態にかかる反物に縫製線、裁断線および模様を記載した平面図
【図４】本考案の反物を用いて製造した和服の正面図
【図５】本考案の反物の構成部位に模様を配する手法を説明する図面
【図６】本考案の反物の構成部位に模様を配する手法を説明する図面
【図７】本考案の反物の構成部位に模様を配する手法を説明する図面
【考案を実施するための形態】
【００２１】
以下、本考案に係る反物の実施形態について、図面を参照しながら説明する。
なお、図面では模様の連続性の効果を明確にするため、特に大きな模様（図柄）を用いて説明を行なっている。
【００２２】
図１に示すとおり、本考案の反物１には、和服を構成する各位部位である右袖２、右前身頃３、右後身頃４、本衿５、掛け衿６、左衽（おくみ）７、右衽８、左袖９、左後身頃１０、左前身頃１１の裁断線（図１中実線）を有している。これらの裁断線に従って裁断することにより、反物から容易に各構成部位を切り出すことが可能である。
なお、右前身頃３、右後身頃４は右見頃、左後身頃１０、左前身頃１１は左身頃を構成し、それぞれは一体に続いた布地であり、中央の折り返し部である肩山で折り返すことで、前身頃と後見頃とに画定される。
【００２３】
なお、図１においては、紙面の都合上、これら５つの部位に分解して図示しているが、実際の反物１では図２に示すとおり、これらの部位は連続して反物１上に配されている。ただし、図２に記載の順は例示に過ぎず、他の順で各部位が繋がっていても良い。また図１中、各部位の長手方向の両端の実線は、図２に示すとおり、反物１の両端部であり、反物の状態で既に裁断されているものである。従って、両端部の長手方向の実線は反物１の幅を規定し、その幅は、例えば約３８ｃｍ（鯨尺における１尺）である。
【００２４】
また本考案の反物１においては、各構成部位に縫製線（図１中点線）が付されている。反物１の裁断線に従い裁断した後、各構成部位をこの縫製線に従って縫い合わせることにより、最終製品である和服を成形し、完成できるようになっている。
【００２５】
さらに本考案の反物１の各構成部位には、模様が捺染されている。模様と裁断線および縫製線との関係は図３に示すとおりである。すなわち最終製品である和服において、例えば左衽７と左前身頃１１とは互いに隣り合い、縫製線において接することになるが、両者が接する縫製線上で模様の連続性が確保されるように、予め反物に模様が配されている。
【００２６】
図４は、縫製後の和服の完成正面図である。図４に示すとおり、左衽７と左前身頃１１との間で、模様が横方向（和服の幅方向）に連続性を有していることが判る。即ち、左衽７と左前身頃１１との間で模様（図柄）のずれが無く、外観上の違和感が発生しない。なお、このように最終製品の和服において連続性を有する模様を反物に捺染する手法については後述する。
【００２７】
また、図４に描画された掛け衿６に対しても、縫製線に沿って縫製することにより、最終製品となる和服において、左衽７および左前身頃１１と互いに隣り合い、模様の連続性を確保することも可能である。
【００２８】
上記の通り、和服の各構成部位を画定する裁断線、各構成部位間を相互に縫い合わせる縫製線および各部位に対して最適な模様を組み合わせて捺染した本考案の反物１によれば、最終製品である和服において、熟練の技術を要することなく、模様の連続性を確保（図柄合わせ）することができる。
【００２９】
上記のような裁断線、縫製線および模様の組合せは、コンピュータによる画像処理技術を用いて描画データを生成し、その描画データをインクジェット方式により、反物１を構成する布地に捺染することにより完成させることができる。すなわち、模様の連続性を確保する図柄合わせの工程は、コンピュータ上の仮想平面で行なうため、不要な布地の生成を防止し、低コストに所望の反物を提供し得る。
【００３０】
以下では、例として、上前である左前身頃１１と左衽７との間で模様の連続性の確保（図柄合わせ）を行なう方法について説明する。なお、以下の図面では、視認性のため単純な模様を用いて説明する。まず図５に示すとおり、コンピュータ上の仮想領域に所定の模様を一面に配した仮想平面１２を準備し、その仮想平面１２上に、例えば左前身頃１１と左衽７の形状に相当する領域を並べて確保する。具体的には、図５に記載されたような左前身頃１１と左衽７の縫製線である左前身頃縫製線１１Ａと左衽縫製線７Ａにより画定する領域を、両縫製線にて接するように配置し、左前身頃縫製線１１Ａと左衽縫製線７Ａで囲まれた領域の画像データを取得する。
【００３１】
また、仮想平面１２上での前記領域の配置箇所は、模様の配列に従いデザイナーの感性もしくは和服の着用者の希望、および和服のサイズに従って決定される。さらに、着用者の体型に合わせてオーダーメードで容易に変更することも可能である。
【００３２】
その後、縫製線にて画定された領域の画像データ（情報）に縫い代に相当する領域等を含め、長方形状の領域の画像データに拡張する。例えば、図６の通り、左衽７の場合、左衽縫製線７Ａの領域を広げ、その幅が左衽裁断線７Ｂに一致するまで拡張し、その拡張された領域の画像データ（情報）を取得する。左前身頃１１に対しても同様に画像データを取得し、図３の左前身頃１１と左衽７の描画パターンが確定する。なお、この裁断線についても和服のサイズにより決定されるものである。
【００３３】
さらに、掛け衿６に対しても、左前身頃１１および左衽７に対して模様の連続性を確保することも可能である。掛け衿６の場合、左衽７および左前身頃１１の斜めの縫製線に沿って縫製され、即ち図４に示すとおり、特定の角度を有して左衽７および左前身頃１１と縫い合わされ、例えば左前身頃１１と左衽７との縫製線に対して１０°の傾斜を有している。そのため、左前身頃１１と左衽７の模様と連続性を有するパターンを取得するためには、上記仮想平面上１２で、その角度に従った傾きを有する領域を設定する必要がある。従って図７に示すとおり、掛け衿６の領域を仮想平面１２上で回転させ、その回転させた領域の画像データを取得すればよい。同様にして、他の部位においても模様の連続性を確保することも可能である。
【００３４】
上記の様な手法により画像データを取得した結果が、図２に示すとおりである。
画像データは、描画データとして描画装置であるインクジェットプリンターに出力され、その描画データに対応する染料等が、布面上に吐出され、捺染される。
なお、このようなインクジェット方式による捺染の技術は、例えば特許文献特開Ｈ０７−９６７８等に開示されている。
【００３５】
このように、コンピュータにより仮想平面１２で図柄合わせを行なうため、従来のように和服を縫製する際に熟練の技術が必要なく、布地の図柄合わせのために無駄な布の発生も防止でき、コストの低減が図れる。
【００３６】
また、小紋の場合、図柄が上下反転、左右反転しても、外観上の違和感が発生しないため、一部の部位で図柄が反転しても良い。例えば図２においては、左前身頃１１と左後身頃１０とを連続した模様（図柄）で構成している。この場合、左身頃を肩山で折り返すと、一方が上下反転することとなるが、小紋の場合、違和感は発生しない。なお、画像処理の作業工数は増えるものの、最終製品の和服の構成を考慮し、仮想平面１２において、例えば左前身頃１１と左後身頃１０の一方を上下反転させることも可能である。
【００３７】
なお、以上のように本考案においては、画像処理技術により、各構成部位の模様を配することができるため、模様（図柄）に対しての制限も無く、様々な模様（図柄）に対応した反物を作成することができることは言うまでもない。
【００３８】
また、本考案の反物を用いて和服完成させた後、和服の模様に合わせて、さらに金加工等を施してもよい。それにより、完成品である和服に付加価値を与えてさらに高級感を与えることができる。
【００３９】
このように伝統文化と先端技術とを融合させた反物により、安価で高級感のある和服を提供することが可能となり、その結果消費者の購買意欲を高めることができる。さらには、染料等による水質汚濁等の懸念が解消し、環境にやさしく反物を提供できる。このように、本考案の反物から様々な意匠の和服の製造が可能となるため、和服市場の拡大への寄与が期待でき、ひいては日本の伝統技術の継承にも寄与し得るものである。
【符号の説明】
【００４０】
１  反物
２  右袖
３  右前身頃
４  右後身頃
５  本衿
６  掛け衿
６Ａ  掛け衿縫製線
７  左衽
７Ａ  左衽縫製線
７Ｂ  左衽裁断線
８  右衽
９  左袖
１０  左後身頃
１１  左前身頃
１１Ａ  左前身頃縫製線
１２  仮想平面
【図１】
0003194974.tif 000003
【図２】
0003194974.tif 000004
【図３】
0003194974.tif 000005
【図４】
0003194974.tif 000006
【図５】
0003194974.tif 000007
【図６】
0003194974.tif 000008
【図７】
0003194974.tif 000009